【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
始動口への入球に起因して入球抽選を行うと共に、該入球抽選の結果に応じて、さらに遊技者の操作に起因する操作抽選を行い、これらの抽選を経て大当りに当選した場合には、予め定められた遊技価値を付与するための大当り遊技を行う弾球遊技機であって、
演出画面にて演出図柄の変動表示を行った後に該演出図柄を停止表示させることで、前記大当りに当選したか否かを遊技者に通知する大当り演出を行い、前記大当りに当選した場合には、前記大当り演出により、前記演出画面を予め定められた前記演出図柄が停止表示された大当り表示状態とする図柄表示装置と、
前記図柄表示装置に対しコマンドを送信することで前記大当り演出を行わせる演出制御を、前記入球に起因して行うと共に、前記入球抽選で当選した場合には、前記演出制御と並行して前記操作抽選を行う主制御装置と、
前記操作を受け付ける受付手段と、を備え、
前記主制御装置は、
前記入球抽選を行う入球抽選手段と、
前記大当り演出の実行中における受付期間に前記受付手段を介して受け付けた前記操作に起因して、前記操作抽選を行う操作抽選手段と、
一定期間にわたる前記変動表示の態様を指示する前記コマンドである変動パターン指示コマンドを送信することで、前記演出制御を行う図柄制御手段と、を備え、
前記図柄制御手段は、前記演出制御において、遊技者による前記演出図柄の視認が困難或いは不可能な視認困難態様での前記変動表示を指示する前記コマンドを送信し、前記受付期間にわたり前記視認困難態様での前記変動表示を行わせる視認困難変動指示を行うこと、
を特徴とする弾球遊技機。
【請求項２】
請求項１に記載の弾球遊技機において、
前記図柄制御手段は、前記受付期間にわたる前記視認困難態様での前記変動表示を指示する前記変動パターン指示コマンドを送信することにより、前記視認困難変動指示を行うこと、
を特徴とする弾球遊技機。
【請求項３】
請求項１に記載の弾球遊技機において、
前記図柄制御手段は、前記演出制御において、前記演出図柄の視認が前記視認困難態様よりも容易である視認容易態様での前記変動表示を指示する前記変動パターン指示コマンドを送信し、その後、該変動表示を前記視認困難態様に変更させることを指示する前記コマンドを送信することで、前記視認困難変動指示を行うこと、
を特徴とする弾球遊技機。
【請求項４】
請求項１から請求項３のうちのいずれか１項に記載の弾球遊技機において、
前記主制御装置は、前記受付期間にわたり前記受付手段を介しての前記操作の受け付けを許可する受付許可手段をさらに備え、
前記図柄表示装置は、前記受付許可手段により前記受付手段による前記操作の受け付けが許可されると、その旨を前記演出画面に表示すること、
を特徴とする弾球遊技機。
【請求項５】
請求項１から請求項４のうちのいずれかに記載の弾球遊技機において、
前記大当り表示状態では、前記演出画面上の入賞ラインに沿って、予め定められた前記演出図柄が複数並んで停止表示され、
前記図柄制御手段は、前記入球抽選にて当選した場合には、前記演出制御において、前記変動表示の後に前記演出画面をリーチ状態とする前記変動パターン指示コマンドを送信し、
前記操作抽選手段は、前記入球抽選にて当選した場合には、前記リーチ状態となった後の期間を前記受付期間として前記操作抽選を行うこと、
を特徴とする弾球遊技機。
【請求項６】
請求項５に記載の弾球遊技機において、
前記操作抽選手段は、前記リーチ状態となった時点を起点とする期間を前記受付期間として前記操作抽選を行うこと、
を特徴とする弾球遊技機。
【請求項７】
請求項５または請求項６に記載の弾球遊技機において、
前記弾球遊技機は、前記入球抽選にて当選すると、予め定められた操作抽選期間にわたり、前記操作抽選を伴う前記大当り演出が行われる操作抽選状態となり、
前記図柄制御手段は、前記操作抽選状態となった後には、前記演出制御において、前記変動表示の後に前記演出画面を前記リーチ状態とする前記変動パターン指示コマンドを送信し、
前記操作抽選手段は、前記操作抽選状態となった後は、前記リーチ状態となった後の期間を前記受付期間として前記操作抽選を行うこと、
を特徴とする弾球遊技機。
【請求項８】
請求項７に記載の弾球遊技機において、
前記主制御装置は、前記操作抽選にて当選することなく前記操作抽選期間が経過した場合には、前記大当りに当選したものとみなして前記大当り遊技を行う大当り遊技実行手段をさらに備えること、
を特徴とする弾球遊技機。
【請求項９】
請求項１から請求項８のうちのいずれかに記載の弾球遊技機において、
前記大当り表示状態では、前記演出画面上の入賞ラインに沿って、予め定められた前記演出図柄が複数並んで停止表示され、
前記入球抽選にて当選すると、前記大当りへの当選が確定した状態である全図柄変動状態となり、
前記図柄表示装置は、前記全図柄変動状態である場合には、前記大当り演出として、前記大当り表示状態をなす予め定められた前記演出図柄が前記入賞ラインに沿って並んだ状態での前記変動表示である全図柄変動を行い、
前記操作抽選手段は、前記全図柄変動の開始後の期間を前記受付期間として前記操作抽選を行うと共に、該操作抽選として、前記受付手段を介して受け付けた前記操作に起因して、前記大当り演出により停止表示される前記演出図柄を決定する抽選を行い、
前記図柄制御手段は、前記全図柄変動状態である場合には、前記演出制御において、前記全図柄変動を指示する前記変動パターン指示コマンドを送信すると共に、前記操作抽選により決定された前記演出図柄を停止表示させる前記コマンドを送信すること、
を特徴とする弾球遊技機。
【手続補正２】
【補正対象書類名】明細書
【補正対象項目名】００１０
【補正方法】変更
【補正の内容】
【００１０】
上記課題に鑑みてなされた請求項１に記載の弾球遊技機は、始動口への入球に起因して入球抽選を行うと共に、該入球抽選の結果に応じて、さらに遊技者の操作に起因する操作抽選を行い、これらの抽選を経て大当りに当選した場合には、予め定められた遊技価値を付与するための大当り遊技を行う。そして、この弾球遊技機は、演出画面にて演出図柄の変動表示を行った後に該演出図柄を停止表示させることで、大当りに当選したか否かを遊技者に通知する大当り演出を行い、大当りに当選した場合には、大当り演出により、演出画面を予め定められた演出図柄が停止表示された大当り表示状態とする図柄表示装置と、  図柄表示装置に対しコマンドを送信することで大当り演出を行わせる演出制御を、入球に起因して行うと共に、入球抽選で当選した場合には、前記演出制御と並行して操作抽選を行う主制御装置と、操作を受け付ける受付手段と、を備える。
【手続補正３】
【補正対象書類名】明細書
【補正対象項目名】００１１
【補正方法】変更
【補正の内容】
【００１１】
また、主制御装置は、入球抽選を行う入球抽選手段と、大当り演出の実行中における受付期間に受付手段を介して受け付けた操作に起因して、操作抽選を行う操作抽選手段と、
一定期間にわたる変動表示の態様を指示するコマンドである変動パターン指示コマンドを送信することで、演出制御を行う図柄制御手段と、を備える。そして、図柄制御手段は、演出制御において、遊技者による演出図柄の視認が困難或いは不可能な視認困難態様での変動表示を指示するコマンドを送信し、受付期間にわたり視認困難態様での変動表示を行わせる視認困難変動指示を行うこと、を特徴とする。  
【手続補正４】
【補正対象書類名】明細書
【補正対象項目名】００１３
【補正方法】変更
【補正の内容】
【００１３】
また、入球抽選の結果に応じて、大当り演出の際に遊技者の操作に起因して操作抽選が行われ、この操作抽選を経て大当りに当選するか否かが決定されるため、遊技者の操作により弾球遊技機から付与される遊技価値が大きく変化する。このため、遊技者に対し遊技に関与しているという感覚を与えることができる。
【手続補正５】
【補正対象書類名】明細書
【補正対象項目名】００１９
【補正方法】変更
【補正の内容】
【００１９】
こうすることで、主制御装置の処理負荷の増加を抑えつつ、操作抽選に係る操作の受付期間における変動表示の態様を視認困難態様とすることができる。
また、遊技者による操作抽選に係る操作は、受付手段を介して、入球抽選や操作抽選を行う主制御装置にて検知される。このため、受付手段に対して行われた操作は主制御装置での処理に何らかの影響を与えることになり、該操作による何らかの不正行為が可能となるおそれがある。
【手続補正６】
【補正対象書類名】明細書
【補正対象項目名】００２２
【補正方法】変更
【補正の内容】
【００２２】
すなわち、請求項５に記載されているように、大当り表示状態では、演出画面上の入賞ラインに沿って、予め定められた演出図柄が複数並んで停止表示され、図柄制御手段は、入球抽選にて当選した場合には、演出制御において、変動表示の後に演出画面をリーチ状態とする変動パターン指示コマンドを送信し、操作抽選手段は、入球抽選にて当選した場合には、リーチ状態となった後の期間を受付期間として操作抽選を行うのである。
【手続補正７】
【補正対象書類名】明細書
【補正対象項目名】００２４
【補正方法】変更
【補正の内容】
【００２４】
また、入球抽選で当選した後、複数回にわたり遊技者に対し操作抽選の機会を与えても良い。
すなわち、請求項７に記載の弾球遊技機のように、入球抽選にて当選すると、予め定められた操作抽選期間にわたり、操作抽選を伴う大当り演出が行われる操作抽選状態となり、図柄制御手段は、操作抽選状態となった後には、演出制御において、変動表示の後に演出画面をリーチ状態とする変動パターン指示コマンドを送信し、操作抽選手段は、操作抽選状態となった後は、リーチ状態となった後の期間を受付期間として操作抽選を行っても良い。
【手続補正８】
【補正対象書類名】明細書
【補正対象項目名】００２６
【補正方法】変更
【補正の内容】
【００２６】
なお、操作抽選期間とは、例えば、入球抽選に当選した後、所定回数の大当り演出が行われるまでの期間であっても良いし、入球抽選に当選した後、一定時間が経過するまでの期間であっても良い。
【手続補正９】
【補正対象書類名】明細書
【補正対象項目名】００２８
【補正方法】変更
【補正の内容】
【００２８】
こうすることにより、入球抽選で当選した際には操作抽選で当選しなくても必ず大当りとなるため、操作抽選期間を適切に設定することで、操作抽選の結果により遊技者に付与される遊技価値が大きく変動してしまうことを防ぐことができる。また、操作抽選期間の経過により必ず大当りとなるとは言っても、操作抽選に当選することで大当り遊技の開始時期を早めることができるため、遊技者による操作を弾球遊技機から付与される遊技価値に反映させるという効果を得ることができる。
【手続補正１０】
【補正対象書類名】明細書
【補正対象項目名】００３０
【補正方法】変更
【補正の内容】
【００３０】
そこで、請求項９に記載の弾球遊技機では、大当り表示状態では、演出画面上の入賞ラインに沿って、予め定められた演出図柄が複数並んで停止表示され、入球抽選にて当選すると、大当りへの当選が確定した状態である全図柄変動状態となり、図柄表示装置は、全図柄変動状態である場合には、大当り演出として、大当り表示状態をなす予め定められた演出図柄が入賞ラインに沿って並んだ状態での変動表示である全図柄変動を行っても良い。そして、操作抽選手段は、全図柄変動の開始後の期間を受付期間として操作抽選を行うと共に、該操作抽選として、受付手段を介して受け付けた操作に起因して、大当り演出により停止表示される演出図柄を決定する抽選を行い、図柄制御手段は、全図柄変動状態である場合には、演出制御において、全図柄変動を指示する変動パターン指示コマンドを送信すると共に、操作抽選により決定された演出図柄を停止表示させるコマンドを送信しても良い。